(57)【要約】【課題】  木質系発泡合成板の板の接合からは、人体に影響のあるダイオキシンやシックハウス症候群の原因となる成分は発生せず、またこの発泡体は保温、断熱、香りの保存などの効果を有し、かつ軽量で作業性のよい建築用材を提供することができる。【解決手段】  この発泡合成板１は接着剤は使用せず、木材の主成分であるリグノセルロースのポレポリマーと発泡促進剤イソシアネートとの混合液に含まれているリグニンやタンニンが発泡の際に天然の板２との接合で接着力を発揮することを利用した木質系発泡合成板を建築用材として活用する。【選択図】  図２2005324527.tif 000003
2005324527.tif 000002
【特許請求の範囲】
【請求項１】
木質系発泡体の製造用の混合二溶液を金型内に木片板を底面敷として片面板または両面板となるように混合液を注入することで形成される発泡合成板。
【請求項２】
木質系発泡体を形成する混合溶液に含むリグノセルロースに接着物質が含まれており（別途、接着剤を必要としない）、それが木片板を接合してなる発泡合成板。
【請求項３】
前記発泡体に香料を混合液撹拌中に投入することで香りを包含させた発泡合成板。
【請求項４】
前記発泡合成板は、金型によって大きさ、厚さを自由に設定することができ、また切断も自由に容易にできる作業効率の向上が図られる発泡合成板。
【請求項５】
前記発泡合成板である請求項１から請求項４のいづれかに記載の合成板の接合方法。
【発明の詳細な説明】
【産業上の利用分野】
【０００１】  この発明は、建物の建築用資材として壁、天井、床、屋根、建具などに活用される建築資材に関するものであり、特にダイオキシンの害やシックハウス症候群などを防止すると共に、発泡体が断熱、保温、吸音などの効果があることによって建物内の環境が改善され住みよい住宅を提供する方法に関するものである。
【従来の技術および発明が解決しようとする課題】
【０００２】  発泡体に石油系接着剤を使用したり、また接着剤の混合による板材やプラスチック材を使用した発泡合成板が採用されているが、ダイオキシンの害やシックハウス症候群といったアレルギー症状など人体の健康面に影響があり、これらの合成材から有害物を除去することは難しい。
【０００３】  この発明は、以上のような問題に鑑みてなしたもので、その目的は建築物の建設による部屋の内外部に木質系の発泡体合成板を施工し、人体に影響する有害物質を含まない発泡体によって健康を維持する方法を提供することにある。
【課題を解決する手段】
【０００４】  上記目的を達成するため、この発明の建築用材は、石油系の接着剤を使用しないで木質系発泡体に天然の板を片面または両面に接合することを特徴とする。
【作用】
【０００５】  天然の板に接着させた木質系発泡体は、前記の発泡体の主成分として木材のリグノセルロースを主成分としていることから多くのリグニン、タンニンが含まれており、これらが溶液中に存在するため、発泡促進剤イソシアネートによる発泡成形がされる時に木片板面の繊維に接着する。そのため特別に接着剤を添加する必要はなく、人体に有害となるダイオキシンや揮発性物質は発生することはない。また、木質系発泡体であるために天然の板との接合が強力で容易に剥離し難く、さらに発泡体は独立した気泡をもつことから保温や断熱を促進する効果がある。
【０００６】  例えば、図３は間仕切壁をするにあたり、この発泡合成板は軽量であるため設置するのは簡単で、しかも切断も自由にでき、合成板と合成板との接合は凹凸面を図のように予めきざんでおけば組み合わせるだけでよい。途中を切除する場合でも一般のノコを使用して作業することができる。そして、でき上がった間仕切壁は中に発泡体があることから断熱や保温効果によって暖房や冷房する際にエネルギーの使用が少なくてすみ、さらに木質材料であるために室内の水分調整も可能である。また、前記接着剤を使用しないため、ダイオキシンやシックハウス症候群の原因となる有害なものが発生しないことから間仕切壁としては快適な空間を作ることができ人体の健康に寄与できる。
【０００７】  一般の接着剤を使用すると、室内の温度の上昇により大量の揮発性ガスが発生してしまい、これが人体に影響を及ぼすことは適切な方法とはいえない。
この発明では、前記の発泡合成板を張設するだけで室内の温度調節ができる。さらに、この発明は発泡合成板の厚さや大きさを自由に調整することができ、また軽量であるために容易に設置することができる。
【０００８】  以下、この発明の実施例について図面によって説明する。
なお、この発明はそれによって限定を受けるものではない。
図３は建築物内の空間を適宜のスペースでもって間仕切とし、発泡合成板１の接合面は凹凸面６を予め切り込みされた合成板を活用したり、場合によっては途中を切断した面を凹凸面６を形成してから接合できる。そしてその接合面部７に固定する際には前記の混合液を使用し接合することができる。このことは、この発明の第１実施例で示されている。
【０００９】  そして、合成板用天然の板２としては、例えばスギ、ヒノキ、マツ材などの他に集成材や合板の板なども合成板として活用でき、また必要によってはプラスチック、アルミ、鉄などの板を合成板としてもよい。
【００１０】  ところで、木質系発泡合成板１は、図３に示すように、間仕切の接合面部７が途中で切断された面に発泡体３をつくる二液の混合液を塗布するとその切断面に被膜が形成され、水滴やゴミが付着することを防止する防止膜となる。
【００１１】  また、この発泡合成板１は、１０ｃｍ〜１５ｃｍの厚みで長方形９０ｃｍ×１８０ｃｍを規格基準とするが、その現場の状況によって厚さや形状を変えて製造することもできる。
【００１２】  さらに、この発泡合成板１は、発泡体３部分の発泡気泡４の密度を用途に応じて適宜に調節することができ、防音性を必要とする場合は発泡体３の気泡を大きくしてスポンジ状態にする。さらに、合成板木片部面には無数の適宜の穴をあけて吸音効果をアップすることもできる。
【００１３】  なお、発泡合成板１の発泡体３の気泡中に予め芳香性の癒し香料５を特殊に含ませておくと、長期間にわたり香りが発散して健康上にプラスとなる効果にも応用することができる。
【００１４】  そして、図３はこの発泡合成板１の接合方法を示す。金具１９を使用して凹凸面６を発泡合成板１の接合面部７に取り付けられ、接合面が安全に固定できる方法もとられる。
【００１５】  また、その他の実施例として、図４は屋根の張板８の代わりに発泡合成板１を使用すると瓦１７に伝わる太陽熱が内蔵された発泡体３の部分で熱を吸収し、内張の板までの熱の伝わりが軽減される。これによって室内の温度上昇を防止することから、エネルギーの省力化が図られる。
【００１６】  さらに、冬期の冷温外気を内蔵発泡体３が遮断する効果で室内の温度低下を軽減しながら保温することから、エネルギーの節約化が図られる。
【００１７】  図５の床材９としての発泡合成板１は、片面板の合成板を使って床面の土壌に近い裏面部部分を発泡体面とし、表の面はスギまたはマツ板を張り付けられた発泡合成板１として使用すると、土壌面に接する面の発泡体３は土壌面の水分を吸収しながら乾燥を調整するため表の板面は湿気の影響を受けない。そのため畳とか床板は湿気から防がれ腐食することから防止されるのである。
【００１８】  そして、この片面合成板の発泡体３の室内は、夏は涼しく冬は保温作用が発揮され、年間を通して快適な室温を保つことができる。
【００１９】  また、この発泡体３の中にシロアリやダニなどの殺虫剤１０を含ませることができ、それによって化学的な反応による有害物質や有害なガスが発生することはない。
【００２０】  次の事例としての図６は、天井板１１の代わりとして発泡合成板１を使用すれば、部屋の保温や断熱効果を発揮し、別に断熱材や保温材を使用しなくてもその効果が得られる。また作業性においても取り扱いは簡単で便利である。
なお、吸音効果についても発泡合成板１を前記間仕切で発泡体をスポンジ状にすることを述べたが、この場合においても発泡体３をスポンジ状１２にしたものを使用した発泡合板にすることもできる。
【発明の効果】
【００２１】  以上説明したように、本発明による建築物内の部材として活用すれば建築物全体に断熱や防音効果が働き、各部屋においても使用用途によって発泡体の規格を変化させ対応すれば、それぞれの部屋において快適な空間が形成される。
しかも、発泡合成板１そのものは、有害なる化学物質を含まないため、温度の変化によっても有害ガスを発生することはなく人体への影響はない。かつ別途接着剤を使用しなくても発泡体３そのものに含まれたリグニンやタンニンによる接着効果があることから一般の有害物質は発生せず人体に影響を及ぼすことはない。そのため健康的で快適な生活を維持することができる。
【００２２】  また、用途によっては癒し系の香りを加えた発泡合成板１を選択することが望ましく、住む人に合った香料５を選択して使用することは健康上においても癒し効果につながる。
しかも、この発泡合成板１は、たとえ廃材になっても焼却して土壌に埋めても有害物質が発生したり流出することなくバイオマスとして取り扱うことができる。
【図面の簡単な説明】
【図１】  木質系発泡体の断面斜視図である。
【図２】  発泡合成板の断面斜視図である。
【図３】  間仕切壁の施工図例である。
【図４】  屋根地板としての施工例である。
【図５】  床地板材としての施工例である。
【図６】  天井板材としての施工例である。
【符号の説明】
１…発泡合成板、２…天然の板材、３…発泡体、４…発泡気泡、５…香料、６…凹凸面、７…接合面部、８…屋根の張板、９…床材、１０…殺虫剤、１１…天井板、１２…スポンジ状、１３…間仕切、１５…片面合成板、１７…瓦、１８…畳、１９…金具
【図１】
2005324527.tif 000004
【図２】
2005324527.tif 000005
【図３】
2005324527.tif 000006
【図４】
2005324527.tif 000007
【図５】
2005324527.tif 000008
【図６】
2005324527.tif 000009